(57)【要約】【課題】  難聴者等に簡単に使用でき、スイッチのオン／オフする操作が面倒でなく、電源の入れっ放しによる電池切れや電池蓄電量の多少が視覚によって分かる。【解決手段】  レシーバーとその耳当て部、プッシュレバー等のタクト部を設けた電源用タクトスイッチ、レシーバーに電気的に結合したマイク、イヤホーン挿入孔、ＬＥＤ等の電源表示部を組み合わせた聴力補助用レシーバー。【選択図】  図１
0003109439.tif 000002
【実用新案登録請求の範囲】
【請求項１】
聴力補助用レシーバーのいずれかの面に、レシーバーとその耳当て部、電源スイッチ、プッシュレバー等のタクト部を設けた電源用タクトスイッチ、レシーバーに電気的に結合したマイク、イヤホーン挿入孔、電源表示と電池消耗状態を検知するＬＥＤ等の電源表示部を設けたことを特徴とする、聴力補助用レシーバー。
【請求項２】
聴力補助用レシーバーの表面上部にレシーバーとその耳当て部を、その両側面のいずれかに電源スイッチ、プッシュレバー等のタクト部を設けた電源用タクトスイッチを、その上下面のいずれかにマイク、イアホーン挿入孔、電源表示と電池消耗状態を検知するＬＥＤ等の電源表示部を備えていることを特徴とする、聴力補助用レシーバー。
【請求項３】
ＬＥＤ等の電源表示部が、電源スイッチのＯＮ状態で電源用タクトスイッチのプッシュレバーを押すことによる点灯並びにイアホーン挿入孔にイアホーンを挿すことによる点灯とからなる電源表示を行い、且つ電池の消耗による増幅噐の機能低下による消灯表示を行うことを特徴とする、請求項１または２記載の聴力補助用レシーバー。
【請求項４】
ＬＥＤ等の電源表示部が、電源スイッチ、電源用タクトスイッチとは別体に設けることを特徴とする、請求項１〜３のいずれかに記載の聴力補助用レシーバー。
【考案の詳細な説明】
【技術分野】
【０００１】  本考案は、患者と医師、患者と看護師との会話、習い物教室、セミナー等での講師、先生等の説明、お友達との会話、高齢難聴者などに用いる聴力補助用レシーバーの改良に関する。
【背景技術】
【０００２】  従来、補聴器は、本体を小型化して耳の穴に入れて使用する「耳穴挿入型」、本体部分は耳の後にかけてイヤホーン部分だけを耳の穴に挿入して使用する「耳かけ型」、本体部分はポケットに入れてイヤホーン部分を耳の穴に挿入して使用する「ポケット型」等が数多く市販されている。
しかし、「耳穴挿入型」、「耳かけ型」の補聴器は、本体を小型化して出来るかぎり目立たなくし、小型で携帯し易い長所があるものの、使用者自身で音量調整したり、電池交換したりするのが難しい問題点がある。
また、「ポケット型」も含めてイヤホーンを常に耳に装着しているのは煩わしく、かと言ってイヤホーンを耳に入れたり外したりするのは更に不便であるという問題点がある。
従って、このような補聴器は、難聴者（主にお年寄り）が使うには操作部分が複雑で、いざ使用する際に操作を間違えて、音量が大きく雑音となりまたは小さくて聞こえなかったりの不便さがあった。
更には、電源スイッチを切り忘れたために、使う時に電池が消耗していた等の問題が多かった。【０００３】  このような市販補聴器の課題を改良したものとして、補聴器本体の表面部にスピーカーに接した耳当て部を設け、内蔵させた小型マイクを介して受信した音声を増幅して耳当て部で聞き取り易くしたり、または耳に終始当てなくても聞き取れるようにしたり、また、スイッチのオン／オフ動作を簡単にできるように電源用タクトスイッチを設けて軽く手で握れる構造としたり、或いは難聴者のみならず、聞き取り手側が自分の声を確実に聞かせたい時に相手に簡単に使用してもらえる聴力補助用レシーバーが知られている（特許文献１、２）。【０００４】
【特許文献１】実用新案登録第３０５３８５４号公報
【特許文献２】実用新案登録第３０８４５１８号公報
【考案の開示】
【考案が解決しようとする課題】
【０００５】  しかしながら、上記のような聴力補助用レシーバーでも、電源の入れっ放しによる電池の自己放電によっていざ使用しようとする時に電池切れで使用できなくなったり、また、電池の蓄電量が少なくなって使用時に受信し難くなったりするトラブル等が生じる恐れがある。
そこで、本考案者は、患者と医師、患者と看護師との会話、習い物教室、セミナー等での講師、先生等の説明、お友達との会話、高齢難聴者などに用いる上記聴力補助用レシーバーにＬＥＤ等の電源表示部を組み合わせることに着目した。
本考案は、相手の声を明瞭に聞きたいと思った時に難聴者等が自分で使用するか、或いは逆に聞き取り手側が自分の声を相手に確実に聞かせたい時に相手の人に簡単に使用して貰うことが出来る聴力補助用レシーバーであって、耳の穴に挿入する煩わしさがなく、スイッチのオン／オフする操作が面倒でなく、しかも電源の入れっ放しによる電池切れや電池蓄電量の多少が視覚によって即時に分かる、聴力補助用レシーバーの改良を提供することを目的とする。
【課題を解決するための手段】
【０００６】  本考案者等は上記課題について種々検討した結果、レシーバーとその耳当て部、プッシュレバー等のタクト部を設けた電源用タクトスイッチ、レシーバーに電気的に結合したマイク、イヤホーン挿入孔、ＬＥＤ等の電源表示部を組み合わせて聴力補助用レシーバーに設けることにより、難聴者等に簡単に使用して貰うことができ、従来の補聴器のように耳の穴に挿入する煩わしさがなく、スイッチのオン／オフする操作が面倒でなく、しかも電源の入れっ放しによる電池切れや電池蓄電量の多少が視覚によって即時に分かることを見出し、本発明を発見した。
即ち、本発明は；
（１）  聴力補助用レシーバーのいずれかの面に、レシーバーとその耳当て部、電源スイッチ、プッシュレバー等のタクト部を設けた電源用タクトスイッチ、レシーバーに電気的に結合したマイク、イヤホーン挿入孔、電源表示と電池消耗状態を検知するＬＥＤ等の電源表示部を設けた聴力補助用レシーバーを提供する。また、
（２）  聴力補助用レシーバーの表面上部にレシーバーとその耳当て部を、その両側面のいずれかに電源スイッチ、プッシュレバー等のタクト部を設けた電源用タクトスイッチを、その上下面のいずれかにマイク、イアホーン挿入孔、電源表示と電池消耗状態を検知するＬＥＤ等の電源表示部を備えている聴力補助用レシーバーを提供する。また、
（３）  ＬＥＤ等の電源表示部が、電源スイッチのＯＮ状態で電源用タクトスイッチのプッシュレバーを押すことによる点灯並びにイアホーン挿入孔にイアホーンを挿すことによる点灯とからなる電源表示を行い、且つ電池の消耗による増幅噐の機能低下による消灯表示を行う点にも特徴を有する。また、
（４）  ＬＥＤ等の電源表示部が、電源スイッチ、電源用タクトスイッチとは別体に設ける点にも特徴を有する。
【考案の効果】
【０００７】  本考案の聴力補助用レシーバーを用いると、難聴者等に簡単に使用して貰うことができ、従来の補聴器のように耳の穴に挿入する煩わしさがなく、スイッチのオン／オフする操作が面倒でなく、しかも電源の入れっ放しによる電池切れや電池蓄電量の多少が視覚によって即時に分かると言う効果がある。
【考案を実施するための最良の形態】
【０００８】  以下、本発明を詳細に説明する。
図１〜５に基づいて本考案の聴力補助用レシーバーを説明する。
本考案の聴力補助用レシーバーは、その本体１のいずれかの面に、レシーバー３とその耳当て部３ａ、電源スイッチ５、プッシュレバー等のタクト部を設けた電源用タクトスイッチｓ、レシーバーに電気的に結合したマイク３、イヤホーン挿入孔６ｈ、電源表示と電池消耗状態を検知するＬＥＤ等の電源表示部７を設けた構成からなる（クレーム１）。
本考案においては、各構成要素の配置は、それらの機能が十分に発揮されるなら、特に限定されない。
しかしながら、本考案の聴力補助用レシーバーが十分にその機能を発揮できるためには、少なくとも以下の構成位置を占めることが望ましい。
即ち、聴力補助用レシーバーの表面上部にレシーバー３とその耳当て部３ａを、その両側面のいずれかに電源スイッチ５、プッシュレバー等のタクト部を設けた電源用タクトスイッチｓを、その上下面のいずれかにマイク３、イアホーン挿入孔６ｈ、電源表示と電池消耗状態を検知するＬＥＤ等の電源表示部７を備えることが好適である（クレーム２）。【０００９】  具体的には、図１〜５に示された構造がより好適である。
即ち、聴力補助用レシーバー本体１の表面にレシーバー３及びその耳当て部３ａを、右側面に広い面積の電源用タクトスィッチｓを、下面に集音マイク２とＬＥＤ部品７を設け、マイク２で受信した音声をレシーバー３の耳当て部３ａで聞き取るようにすると共に、レシーバー３を握るとともに電源用タクトスイッチｓがオンとなり、手を離すと同時にタクトスイッチｓがオフとなり、電源表示部７がそれに従って点灯、消灯するように構成されている。
しかも、この聴力補助用レシーバーにおいては、全く使用しない場合に備えて主電源となる電源スィッチ５を左側面に備え、且つイアホーン６ａで聞き取ることもできるようにイアホーン挿入孔６ｈを上面に設けている。
この電源スィッチ５やイアホーン６ａには、音量調節機能を設けても良い。【００１０】  本考案の聴力補助用レシーバーの最大の特徴である電源表示と電池消耗状態を検知するＬＥＤ等の電源表示部７は、見易さの観点から下面にマイク２と並設させることが良い。
この電源表示と電池消耗状態を検知するＬＥＤ等の電源表示部７は、電源スイッチ５のＯＮ状態で電源用タクトスイッチｓのプッシュレバーを押すことによる点灯並びにイアホーン挿入孔６ｈにイアホーンを挿すことによる点灯とからなる電源表示を行い、且つ電池ｓの消耗による増幅回路４を構成する増幅噐の機能低下による消灯表示を行う機能を有する（クレーム３）。
電源表示部７は、見易さの観点から、電源スイッチ５、電源用タクトスイッチｓとは別体に設けることが良い（クレーム４）。
本考案の場合、電源スイッチ５自身にランプ表示又は着色スライドのような電源表示部を設けていないので、より明確な表示が可能となる。
また、電源表示部７としてＬＥＤ、液晶素子等を用いるので、簡単に断線して点灯しないことがなくて永続して使用が可能な利点がある。
更に、高、低音域を明確に伝達するように、増幅回路４の前にフィルターを設けても良い。
レシーバー３から出力した音声がケースを振動させないように、ケース内側に防振ゴムを塗布または被覆しても良い。【００１１】  本考案の聴力補助用レシーバーの使用方法を以下に説明する。
本考案の聴力補助用レシーバーは、本体１を手で握ると同時に本体１の一側面に設けた電源用タクトスイッチｓが入り、底面側にあるマイク２で集音した音声を増幅回路４が作動してレシーバー３に伝え、レシーバー３の耳当て部３ａで聞くことができる。
また、本体１の一側面に設けた電源用タクトスイッチｓが入った状態であれば、イアホーン６ａをイアホーン挿入孔６ｈに挿し込むことにより、通常はレシーバー３につながっている回路が切れ、イアホーン回路６を介してイアホーン６ａにつながり（図２参照）、イアホーン６ａで音声を長時間連続して聞き取ることができる。
図５において、ｓ１はイアホーン６ａを挿入と同時に閉となるイアホーンスイッチである。なお、イアホーンスイッチｓ１が閉となると共に電源用タクトスイッチｓも常時閉となる構造となっている。
以上のように、本考案によると、電源スイッチ５がオンの状態で、本体１を手で握ると同時に電源用タクトスイッチｓが入ってＬＥＤが点灯し、手を離すと電源用タクトスイッチｓはオフとなってＬＥＤが消灯する。このような構成なので、電池ｅの消耗が少なくてすむ。
【図面の簡単な説明】
【００１２】
【図１】本考案による聴力補助用レシーバーを示す斜視図である。
【図２】本考案による聴力補助用レシーバーの内部構造を示す模式図である。
【図３】本考案による聴力補助用レシーバーを示す上方からの外観図である。
【図４】本考案による聴力補助用レシーバーを示す左方からの外観図である。
【図５】本考案による聴力補助用レシーバーの回路構成を示す回路図である。
【符号の説明】
【００１３】１  本体
２  マイク
３  レシーバー
３ａ  耳当て部
４  増幅回路
５  電源スイッチ
６  イヤホーン回路
６ａ  イヤホーン
６ｈ  イヤホーン挿入孔
ｅ  電池
ｓ  電源用タクトスイッチ
ｓ１  イアホーンスイッチ
７  ＬＥＤ表示
【図１】
0003109439.tif 000003
【図２】
0003109439.tif 000004
【図３】
0003109439.tif 000005
【図４】
0003109439.tif 000006
【図５】
0003109439.tif 000007